(57)【要約】  【課題】  表示装置を位置決めできる保持構造を有し、且つ静電気除去もできる表示装置取り付けホルダーであって、表示装置を備えるＡＶ装置の組立時に作業負担及び部品のコストアップを生じない表示装置取り付けホルダーを提供する。  【解決手段】  表示装置取り付けホルダー１６は、ステンレス等の金属からなるシールド板で一体的に形成されており、第１の平面１７ａと、第２の平面１７ｂと、第３の平面１７ｃとを有する。第２及び第３の平面１７ｂ、１７ｃは、同一の形状をしており、第１の平面１７ａに対して直角になるように折り曲げられ、向かい合った状態で平行に配置されている。各平面の下部側には、略水平方向に配置される回路基板（図示せず）に係合する係合片２１ａ〜２１ｃ（２１ｃについて図示せず）が設けられている。また、表示装置を鉛直方向に直立させて保持できるように保持部が設けられている。【選択図】      図３
2007017875.tif 000002
【特許請求の範囲】
【請求項１】
装置本体内に設けられる回路基板に接続されて装置本体の稼動状態を表示面に表示する
表示部材の静電気除去を行うシールド板と、該シールド板に設けられて前記表示部材を前
記表示面が装置本体の底面と略垂直となるように位置決め保持する保持部と、前記シール
ド板から突出して前記回路基板に差し込まれる係合片と、を有する表示装置取り付けホル
ダーを備えるＡＶ装置において、
前記シールド板は、前記表示面を装置本体に設けられる窓部を介して外部から見えるよう
にするために設けられる開口部を有する第１の平面と、前記第１の平面と略直交し、且つ
前記底面に対して略垂直方向に直立して前記表示部材の側面を挟むように配置される第２
及び第３の平面とで形成され、
前記第１乃至第３の平面のそれぞれは、少なくとも１つの前記係合片を有し、前記係合片
は、前記底面に対して略平行に設けられ前記表示部を含む前記ＡＶ装置全体の制御を行う
前記回路基板に対して、略垂直方向に突出するように設けられ、
前記保持部は、前記第１の平面と、前記第２及び第３の平面から内側に突出し前記第１の
平面との間で前記表示部材を挟むように固定する第１の保持片と、前記第１の平面から前
記表示部材側に突出し、前記表示部材を前記底面側から支持する第２の保持片とから成る
ことを特徴とするＡＶ装置。
【請求項２】
ＡＶ装置内に設けられる回路基板に接続されて前記ＡＶ装置の稼動状態を表示面に表示
する表示装置の静電気除去を行うシールド板と、該シールド板に設けられて前記表示装置
を前記表示面が前記ＡＶ装置の底面と略垂直となるように位置決め保持する保持部と、前
記シールド板から突出して前記回路基板に差し込まれる係合片と、を備える表示装置取り
付けホルダーにおいて、
前記シールド板には、前記表示面を前記ＡＶ装置に設けられる窓部を介して外部から見え
るようにするための開口部が設けられ、
前記係合片は、前記底面に対して略平行に設けられ前記表示部を含む前記ＡＶ装置全体の
制御を行う前記回路基板に対して、略垂直方向に突出するように設けられることを特徴と
する表示装置取り付けホルダー。
【請求項３】
前記シールド板は、前記開口部を有する第１の平面と、前記第１の平面と略直交し、且
つ前記底面に対して略垂直方向に直立して前記表示装置の側面を挟むように配置される第
２及び第３の平面とで形成され、前記第１乃至第３の平面のそれぞれは、少なくとも１つ
の前記係合片を有することを特徴とする請求項２に記載の表示装置取り付けホルダー。
【請求項４】
前記保持部は、前記第１の平面と、前記第２及び第３の平面から内側に突出し前記第１
の平面との間で前記表示装置を挟むように固定する第１の保持片と、前記第１の平面から
前記表示装置側に突出し前記表示装置を前記底面側から支持する第２の保持片とから成る
ことを特徴とする請求項２又は請求項３に記載の表示装置取り付けホルダー。
【請求項５】
請求項２乃至請求項４のいずれかに記載の表示装置取り付けホルダーを備えることを特
徴とするＡＶ装置。
【発明の詳細な説明】
【技術分野】
【０００１】
本発明は、ＤＶＤプレイヤー、ＣＤプレイヤー、ビデオテープレコーダー等のＡＶ装置
に設けられる表示装置を保持する表示装置取り付けホルダーに関し、より詳細にはＡＶ装
置内に取り付ける際に、作業性が良く、コストがかからない表示装置取り付けホルダーの
構造に関する。また、本発明はそのような表示装置取り付けホルダーを備えるＡＶ装置に
関する。
【背景技術】
【０００２】
従来、ＤＶＤプレイヤー、ＣＤプレイヤー、ビデオテープレコーダー等のＡＶ装置にお
いて、その装置の稼動状態等表示するために、例えば蛍光表示管や液晶等の表示装置が広
く用いられている。そして、これらの表示装置は、ＡＶ装置のフロントパネル等の目立つ
部分に配置されることが多いために、例えば表示装置が傾いて見え難い等の問題が生じな
いように、フロントパネル等に対して正確に位置決めしておく必要がある。このため、従
来から、フロントパネル等に対して表示装置を正確に位置決めできるように、表示装置を
取り付けるためのホルダー等が用いられている。
【０００３】
例えば、特許文献１では、記録媒体駆動装置において、装置本体内に光ディスクをロー
ディングするためのデッキのフレームに一体的に形成された係止体によって表示装置を保
持する構造を提案している。そして、この構成によれば、表示装置の保持を簡素な構造で
容易に行うことができるとされている。
【０００４】
また、特許文献２及び特許文献３においては、表示装置を制御する回路基板をＡＶ装置
等の本体に略鉛直方向に直立させて配設し、この回路基板の前方（例えばフロントパネル
側）に表示装置をやはり略鉛直方向に直立させて配設するタイプのＡＶ装置等に用いる表
示装置取り付けホルダーについて提案している。そして、これらによれば、表示装置と回
路基板の位置規制を精度良く、しかも容易にできるとされている。
【０００５】
しかし、特許文献１で提案される表示装置の保持構造の場合、係止体が表示装置を固定
する位置が表示装置の限られた面となるために、例えば、係止体の寸法精度に問題がある
場合には、表示装置の位置決め保持が不十分となる可能性がある。また、特許文献２と３
の構成の場合には、表示装置の回路基板とＡＶ装置等の装置全体を制御する回路基板を別
々に作製する必要があるために、部品コスト面及び作業効率面で問題がある。
【０００６】
更に、表示装置には回路基板に接続される接続ピン等が設けられているために、例えば
ユーザがＡＶ装置の操作スイッチに触れた場合に、表示装置に静電気が放電され表示装置
が誤作動することがある。この点、特許文献１〜３に提案されている表示装置用のホルダ
ー等では、静電気除去の対策はされていないために、誤作動等の問題が発生する可能性が
ある。
【０００７】
これについては、静電気除去用のシールド板を特許文献４のように、操作スイッチと表
示装置の間に別途設けることも考えられるが、この場合、シールド板のみならずシールド
板を保持するビス等も必要となるためコスト面での問題が発生し、更にシールド板の位置
調整等の作業負担も発生する。静電気除去の対策を施したものとして、特許文献５に、表
示装置の取り付けホルダーを、シールド板を用いて形成した表示装置の取り付けホルダー
が提案されている。
【０００８】
しかしながら、特許文献５で提案される表示装置取り付けホルダーは、特許文献２及び
３と同様に、ＡＶ装置等の装置本体に、表示装置を制御する回路基板を略鉛直方向に直立
させて配設し、その回路基板に対して、装置に対して略鉛直方向に直立する表示装置を取
り付けるホルダーである。このため、前述のように、表示装置用の回路基板とＡＶ装置等
の装置全体を制御する回路基板とを別々に作製する必要が生じ、部品コスト面及び作業効
率面で問題がある。
【特許文献１】特開２００２−９１３３４号公報
【特許文献２】特開２００１−２８２１２８号公報
【特許文献３】特開昭５９−８６０８３号公報
【特許文献４】特開２００２−２０７４３２号公報
【特許文献５】実開平２−１３２８０号公報
【発明の開示】
【発明が解決しようとする課題】
【０００９】
以上の問題点に鑑み、本発明の目的は、表示装置を位置決めできる保持構造を有し、且
つ静電気除去もできる表示装置取り付けホルダーであって、表示装置を備えるＡＶ装置の
組立時に作業負担及び部品のコストアップを生じない表示装置取り付けホルダーを提供す
ることである。また、本発の他の目的は、そのような表示装置取り付けホルダーを備える
ことにより、装置組立時の作業負担及び部品コストを低減できるＡＶ装置を提供すること
である。
【課題を解決するための手段】
【００１０】
上記目的を達成するために本発明は、装置本体内に設けられる回路基板に接続されて装
置本体の稼動状態を表示面に表示する表示部材の静電気除去を行うシールド板と、該シー
ルド板に設けられて前記表示部材を前記表示面が装置本体の底面と略垂直となるように位
置決め保持する保持部と、前記シールド板から突出して前記回路基板に差し込まれる係合
片と、を有する表示装置取り付けホルダーを備えるＡＶ装置において、前記シールド板は
、前記表示面を装置本体に設けられる窓部を介して外部から見えるようにするために設け
られる開口部を有する第１の平面と、前記第１の平面と略直交し、且つ前記底面に対して
略垂直方向に直立して前記表示部材の側面を挟むように配置される第２及び第３の平面と
で形成され、前記第１乃至第３の平面のそれぞれは、少なくとも１つの前記係合片を有し
、前記係合片は、前記底面に対して略平行に設けられ前記表示部を含む前記ＡＶ装置全体
の制御を行う前記回路基板に対して、略垂直方向に突出するように設けられ、前記保持部
は、前記第１の平面と、前記第２及び第３の平面から内側に突出し前記第１の平面との間
で前記表示部材を挟むように固定する第１の保持片と、前記第１の平面から前記表示部材
側に突出し、前記表示部材を前記底面側から支持する第２の保持片とから成ることを特徴
としている。
【００１１】
また、上記目的を達成するために本発明は、ＡＶ装置内に設けられる回路基板に接続さ
れて前記ＡＶ装置の稼動状態を表示面に表示する表示装置の静電気除去を行うシールド板
と、該シールド板に設けられて前記表示装置を前記表示面が前記ＡＶ装置の底面と略垂直
となるように位置決め保持する保持部と、前記シールド板から突出して前記回路基板に差
し込まれる係合片と、を備える表示装置取り付けホルダーにおいて、前記シールド板には
、前記表示面を前記ＡＶ装置に設けられる窓部を介して外部から見えるようにするための
開口部が設けられ、前記係合片は、前記底面に対して略平行に設けられ前記表示部を含む
前記ＡＶ装置全体の制御を行う前記回路基板に対して、略垂直方向に突出するように設け
られることを特徴としている。
【００１２】
また、本発明は、上記構成の表示装置取り付けホルダーにおいて、前記シールド板は、
前記開口部を有する第１の平面と、前記第１の平面と略直交し、且つ前記底面に対して略
垂直方向に直立して前記表示装置の側面を挟むように配置される第２及び第３の平面とで
形成され、前記第１乃至第３の平面のそれぞれは、少なくとも１つの前記係合片を有する
ことを特徴としている。
【００１３】
また、本発明は、上記構成の表示装置取り付けホルダーにおいて、前記保持部は、前記
第１の平面と、前記第２及び第３の平面から内側に突出し前記第１の平面との間で前記表
示装置を挟むように固定する第１の保持片と、前記第１の平面から前記表示装置側に突出
し前記表示装置を前記底面側から支持する第２の保持片とから成ることを特徴としている
。
【００１４】
また、本発明は、上記構成の表示装置取り付けホルダーを備えるＡＶ装置であることを
特徴としている。
【発明の効果】
【００１５】
本発明の第１の構成によれば、表示装置（表示部材に同じ。以下も同様）を保持し、静
電気除去機能を有する表示装置取り付けホルダーにおいて、ＡＶ装置内に略水平に配置さ
れるＡＶ装置全体の制御を行う回路基板に対して、表示装置及び表示装置取り付けホルダ
ーの両方を鉛直方向に直立させた状態とできる。このため、従来のように、ＡＶ装置内に
略水平に配置される全体制御用の回路基板、ＡＶ装置内に略鉛直方向に直立して配置され
る表示装置用の回路基板という具合に、２つの回路基板を配置する必要がなくなるために
、ＡＶ装置組立時の作業負担及び部品コストの低減を図れる。また、保持部によって表示
装置の表示面側とその裏面側から挟むように表示装置を固定し、更に、表示装置と回路基
板の位置関係についても固定できるようになっているために、表示装置が傾くこともない
。
【００１６】
また、本発明の第２の構成によれば、表示装置を保持し、静電気除去機能を有する表示
装置取り付けホルダーにおいて、ＡＶ装置内に略水平に配置されるＡＶ装置全体の制御を
行う回路基板に対して、表示装置及び表示装置取り付けホルダーの両方を鉛直方向に直立
させた状態とできる。このため、従来のように、ＡＶ装置内に略水平に配置される全体制
御用の回路基板、ＡＶ装置内に略鉛直方向に直立して配置される表示装置用の回路基板と
いう具合に、２つの回路基板を配置する必要がなくなるために、ＡＶ装置組立時の作業負
担及び部品コストの低減を図れる。
【００１７】
また、本発明の第３の構成によれば、上記第２の構成の表示管ホルダーにおいて、表示
装置の周囲に配される表示装置取り付けホルダーの各面に、回路基板に係合される係合片
を設けているために、表示装置が安定した状態で保持される。
【００１８】
また、本発明の第４の構成によれば、上記第２又は第３の構成の表示管ホルダーにおい
て、保持部によって表示装置の表示面側とその裏面側から挟むように表示装置を固定し、
更に、表示装置と回路基板の位置関係についても固定できるようになっているために、表
示装置の位置決めを正確に行える。
【００１９】
また、本発明の第５の構成によれば、上記第２乃至第３のいずれかに構成の表示管ホル
ダーを備えるＡＶ装置において、表示装置の安定した保持、及び表示装置へ静電気が放電
されることによる回路の誤作動の防止ができる表示装置取り付けホルダーを設けても、装
置組立時の作業負担及び部品コストの増加を低減できる。
【発明を実施するための最良の形態】
【００２０】
以下、本発明の実施形態を、図面を参照しながら説明する。図１は、本発明の表示装置
取り付けホルダーが搭載されるＤＶＤプレイヤーとビデオテープレコーダーとが一体とな
ったＡＶ装置の外観を示す概略斜視図である。なお、ここで説明する構成は、実施形態の
一例を示すものであり、この実施形態に限定されるものではなく、例えば、ＣＤプレイヤ
ー等にも適用可能である。また、図面中の各部材の大きさや厚み等は理解を容易にする目
的のためのものであり、実際の寸法とは異なる。
【００２１】
ＡＶ装置１は、外装ケース２と、前面パネル３と、背面パネル４と、底面シャーシ５と
によって外観が構成されている。外装ケース２は、装置の左右側面と上面を取り囲むよう
に形成されている。
【００２２】
前面パネル３は、装置の前面に形成されており、装置のメイン電源をオン、オフするた
めの電源スイッチ６と、ビデオテープを出し入れするためのビデオテープ用開口部７と、
ＤＶＤ用の光ディスクを出し入れするためのＤＶＤ用開口部８と、ビデオテープレコーダ
ー側の動作を操作するビデオテープ側操作スイッチ９と、ＤＶＤプレイヤー側の動作を操
作するＤＶＤ側操作スイッチ１０と、ビデオテープレコーダー機能とＤＶＤプレイヤー機
能の切り替えを行うスイッチ等その他の装置操作を行うモードスイッチ１１と、ＡＶ装置
１の装置本体内を透視するための窓部１２とを備えている。
【００２３】
窓部１２には、透明若しくは半透明の樹脂成型体等が配置され、ＡＶ装置１の本体内部
を透視させると共に外部からの埃等の進入を防止している。なお、ＡＶ装置１の操作をリ
モコンで行うようにし、前面パネル３からビデオテープ側操作スイッチ９、ＤＶＤ側操作
スイッチ１０、モードスイッチ１１を省略した構成としても構わない。
【００２４】
背面パネル４には、ＡＶ装置１本体に電源を供給するための配線１３とプラグ１４とが
設けられている。なお、図示しないが背面パネル４にはこの他にも、アンプ、再生用スピ
ーカ、再生用ディスプレイ若しくはパソコン等のインターフェイスと接続するための接続
端子等が設けられている。なお、これらの接続端子は、接続を容易にするために前面パネ
ル３に設けても構わない。
【００２５】
また、底面シャーシ５には、ＡＶ装置１の制御回路が内蔵された回路基板１５（図２参
照）と、図示しないビデオテープの再生記録用のデッキと、ＤＶＤ用光ディスクの再生記
録用のデッキとが搭載されている。回路基板１５は、ＣＰＵやメモリ等の記憶手段を内蔵
した電子回路で構成されており、この記憶手段に予め格納させたプログラムに基づいてＣ
ＰＵが装置の制御を行っている。
【００２６】
また、回路基板１５には、前面パネル３に設けられた窓部１２に対応する位置にＡＶ装
置１の稼動状態を表示するための、平板状に構成された蛍光表示管等の表示装置が、略鉛
直方向に直立状態で取り付けられ、回路基板１５はこの表示装置についても制御を行う。
表示装置の取り付け等の詳細については、後述する。なお、ビデオテープの再生記録用デ
ッキ及び、ＤＶＤ用光ディスクの再生記録用デッキについての装置構成と動作については
、従来から存在するビデオテープレコーダー及びＤＶＤプレイヤーに搭載されるものと同
様であるため、ここでは説明を省略する。
【００２７】
このようなＡＶ装置１において、本発明の表示装置取り付けホルダーは、表示装置を保
持した状態で、前面パネル３の窓部１２に配置される樹脂性成型体等の後方（ＡＶ装置１
の内部側）に配置されている。図２は、窓部１２と表示装置取り付けホルダー１６との位
置関係を示す表示装置取り付けホルダー１６周りの拡大側面図である。
【００２８】
図２に示すように、表示装置取り付けホルダー１６は、ＡＶ装置１の底面シャーシ５と
略平行に配置される回路基板１５上の係合孔２３（図７参照）に係合片２１ａ〜２１ｃ（
２１ｂについては図４参照）を差し込んで固定され、ＡＶ装置１内で略鉛直方向に直立し
た状態となっている。そして、表示装置取り付けホルダー１６は、図中に鎖線で示す蛍光
表示管２２を、その表示面が窓部１２を通じてＡＶ装置１の外部から見えるように、略鉛
直方向に直立させた状態で保持している。
【００２９】
また、蛍光表示管２２は、蛍光表示管２２の鉛直下方に引き出される接続ピン２２ａを
回路基板１５上に設けられる接続端子２６（図７参照）に嵌合することによって、回路基
板１５と電気的に接続されている。なお、接続ピン２２ａと回路基板１５との電気的な接
続は、本実施形態のものに限られず、例えば、接続端子を設けず、接続ピン２２ａを回路
基板１５上で半田付けする等しても構わない。また、本実施形態においては、表示装置と
して蛍光表示管２２を用いているが他の表示装置でも構わず、例えば、ＬＥＤ（発光ダイ
オード）基板や、液晶基板等を用いても構わない。
【００３０】
次に、本実施形態の表示装置取り付けホルダー１６の構成について、図３から図６を参
照しながら、更に詳細に説明する。なお、図３、図４、図５、図６はそれぞれ、本実施形
態の表示装置取り付けホルダー１６の概略斜視図、概略正面図、概略側面図、概略上面図
である。また、図３において、円Ｃで示す部分は、表示装置取り付けホルダー１６を製造
する都合上設けられた開口部であり、必ずしも必要なものではない。
【００３１】
表示装置取り付けホルダー１６は、例えば、ステンレス等の金属からなるシールド板で
一体的に形成されており、第１の平面１７ａと、第２の平面１７ｂと、第３の平面１７ｃ
とを有する。第２及び第３の平面１７ｂ、１７ｃは、同一の形状をしており、第１の平面
１７ａに対して直角になるように折り曲げられ、向かい合った状態で平行に配置されてい
る。
【００３２】
第１の平面１７ａには、表示装置取り付けホルダー１６に蛍光表示管２２（図２参照）
が取り付けられた場合においても、蛍光表示管２２の表示面がＡＶ装置１の外部から見え
るように、開口部１８が設けられている。なお、開口部１６の大きさは蛍光表示管２２の
表示面全体が見える大きさであれば良いが、あまり大きくなりすぎると、後述するように
表示装置取り付けホルダー１６による蛍光表示管２２の保持が不十分となる可能性がある
ため、蛍光表示管２２の表示面と同じか、僅かに大きいサイズであるのが好ましい。
【００３３】
次に、表示装置取り付けホルダー１６が備える蛍光表示管２２の保持機能について説明
する。まず、図４を参照して、第１の平面１７ａは、開口部１８より下部側であって、そ
の両端側の一部分を両側とも同じ大きさだけ、紙面方向に（即ち直角に）折り曲げられて
いる。そして、図６に示すようにこの折り曲げられた部分が第２の保持片２０ａ、２０ｂ
を形成している。
【００３４】
次に、図６を参照して、第２の平面１７ｂは、その一部が図の左方向に折り曲げられて
おり、また、第３の平面１７ｃは、その一部が図の右方向に折り曲げられている。そして
、この折り曲げられた部分が、第１の保持片１９ａ、１９ｂを形成している。なお、第１
の保持片１９ａ、１９ｂが設けられる位置は、図５に示すように、高さ方向において、開
口部１８が設けられる位置と同等の位置が好ましい。また、第１の保持片１９ａ、１９ｂ
の形状は本実施形態の形状に限定される趣旨ではなく、必要に応じて別の形状にしても構
わない。
【００３５】
以上の第１の保持片１９ａ、１９ｂと第２の保持片２０ａ、２０ｂと、第１の平面１７
ａとが、蛍光表示管２２の位置決めを行う保持部２５を形成する。すなわち、第１の平面
１７ａと第１の保持片１９ａ、１９ｂで蛍光表示管２２を挟むことによって、蛍光表示管
２２が鉛直方向に直立した状態から傾くのを防止している。更に、第２の保持片２０ａ、
２０ｂが、蛍光表示管２２と開口部１８との位置関係、及び蛍光表示管２２と回路基板１
５（図２参照）との位置関係を規定して固定する。なお、以上に示した保持部２５の構造
は、一例であり、本発明の目的を逸脱しない範囲で変更可能である。
【００３６】
次に、表示装置取り付けホルダー１６が備える係合片２１ａ〜２１ｃについて、図４及
び図５を参照して説明する。第１から第３の平面１７ａ〜１７ｃには、それぞれ、表示装
置取り付けホルダー１６を回路基板１５と係合するための係合片２１ａ、２１ｂ、２１ｃ
が、各平面の下部に設けられている。係合片２１ａ〜２１ｃの形状は全て同一の形状をし
ており、図４及び図５に破線の円で拡大して示すように、平板状の突出部を断面くの字型
に屈曲させた抜け止めが形成されている。これにより、係合片２１ａ〜２１ｃが回路基板
１５に設けられる係合孔２３（図７参照）に差し込んだ後、表示装置取り付けホルダー１
６が確実に固定される。
【００３７】
なお、本実施形態では、第１から第３の平面１７ａ〜１７ｃにそれぞれ１つずつ係合片
２１ａ〜２１ｃを設ける構成としたが、これに限定される趣旨ではなく、各面についてそ
れぞれ２つ以上の係合片を設ける構成としても構わない。また、抜け止めの構造も本実施
形態のものに限定されない。
【００３８】
なお、表示装置取り付けホルダー１６の構成は、ここに示す形態に限定される趣旨では
なく、本発明の目的を逸脱しない範囲で変更可能である。例えば、本実施形態では、第１
から第３の平面を用いて表示装置取り付けホルダー１６を構成しているが、第１の平面だ
けとし、これに保持部と係合片を設けるような構成としても構わないし、その他、蛍光表
示管等の表示装置を取り囲むよう設けられた４つの平面で表示装置取り付けホルダーを構
成する等しても構わない。
【００３９】
次に、ＡＶ装置１本体に表示装置取り付けホルダー１６を用いて蛍光表示管２２を取り
付ける場合の手順について、図７を参照しながら説明する。なお、図７は、蛍光表示管２
２と、表示装置取り付けホルダー１６と、回路基板１５の分解斜視図である。まず、蛍光
表示管２２の表示面２２ａが表示装置取り付けホルダー１６の開口部１８から見えるよう
に、また、蛍光表示管２２が鉛直方向から傾かないように、保持部２５（図６参照）によ
って位置決め保持される。
【００４０】
その次に、表示装置取り付けホルダー１６の係合片２１ａ〜２１ｃが、回路基板１５上
に設けられた係合孔２３に差し込まれる。この際、係合片２１ａ〜２１ｃは、断面くの字
型に屈曲した部分を強制的に押し縮められながら差し込む必要がある。そして、強制的に
差し込まれた後は、元の形状に戻るため、断面くの字型に屈曲した部分が抜け止めの役割
を果たす。
【００４１】
蛍光表示管２２の接続ピン２２ａは、表示装置取り付けホルダー１６が差し込まれると
共に、回路基板１５上に設けられた接続端子２３に差し込まれる。なお、この際、表示装
置取り付けホルダー１６の保持部２５により、蛍光表示管２２と回路基板１５とは位置決
め固定される。
【００４２】
以上のように、本実施形態の表示装置取り付けホルダー１６を用いれば、蛍光表示管２
２と表示装置取り付けホルダー１６を同時に回路基板１５に取り付けられるために、組立
作業性に優れる。また、本実施形態の表示装置取り付けホルダー１６によれば、先に表示
装置取り付けホルダー１６を回路基板１５に取り付けた後に、蛍光表示管２２を取り付け
ることも可能であるため、装置組立時の作業順序に制約が少ないという利点もある。
【００４３】
なお、本実施形態では、表示装置取り付けホルダー１６を金属からなるシールド板で形
成している。そして、図２に示すように、蛍光表示管２２の表示面２２ｂ側をシールド板
で覆うように構成されている。このため、例えば、ユーザがＡＶ装置１に触れた場合に、
静電気が蛍光表示管２２の接続ピン２２ａに放電されて、回路基板１５が誤動作を起こす
のを防止できる。すなわち、静電気は蛍光表示管２２でなく、その手前にある表示装置取
り付けホルダー１６に放電され、表示装置取り付けホルダー１６はアースされているため
に、回路基板１５に電気が流れることはなく、誤動作を防止できる。
【産業上の利用可能性】
【００４４】
本発明では、ＡＶ装置内に設けられる回路基板に接続されてＡＶ装置の稼動状態を表示
面に表示する表示装置の静電気除去を行うシールド板と、シールド板に設けられて表示装
置を表示面がＡＶ装置の底面と略垂直となるように位置決め保持する保持部と、シールド
板から突出して回路基板に差し込まれる係合片と、を備える表示装置取り付けホルダーに
おいて、シールド板には、表示面をＡＶ装置に設けられる窓部を介して外部から見えるよ
うにするための開口部が設けられ、係合片は、底面に対して略平行に設けられ表示部を含
むＡＶ装置全体の制御を行う回路基板に対して、略垂直方向に突出するように設けられて
いる。
【００４５】
このため、ＡＶ装置内に略水平に配置されるＡＶ装置全体の制御を行う回路基板に対し
て、表示装置及び表示装置取り付けホルダーの両方を鉛直方向に直立させた状態とできる
。これにより、従来のように、全体制御用の回路基板と表示装置用の回路基板を別途に配
置する必要がなくなるために、ＡＶ装置組立時の作業負担及び部品コストの低減を図れる
。
【００４６】
また、本発明では、表示装置取り付けホルダーを３枚のシールド板でコの字状に形成し
ているため、ホルダーが安定して回路基板上に配置される。
【００４７】
また、本発明の表示装置取り付けホルダーは、表示装置を２種類の保持片を設けて保持
するように構成しているので、表示装置が規定位置からずれることがない。
【図面の簡単な説明】
【００４８】
【図１】は、本実施形態のＡＶ装置の外観を示す概略斜視図である。
【図２】は、本実施形態のＡＶ装置内に配置される表示装置取り付けホルダー周りの拡大側面図である。
【図３】は、本実施形態の表示装置取り付けホルダーの構成を示す概略斜視図である。
【図４】は、本実施形態の表示装置取り付けホルダーの構成を示す概略正面図である。
【図５】は、本実施形態の表示装置取り付けホルダーの構成を示す概略正面図である。
【図６】は、本実施形態の表示装置取り付けホルダーの構成を示す概略上面図である。
【図７】は、本実施形態の蛍光表示管と、表示装置取り付けホルダーと、回路基板の分解斜視図である。
【符号の説明】
【００４９】
１                      ＡＶ装置
３                      前面パネル
５                      底面シャーシ
１２                    窓部
１５                    回路基板
１６                    表示装置取り付けホルダー
１７ａ                  第１の平面  （シールド板）
１７ｂ                  第２の平面  （シールド板）
１７ｃ                  第３の平面  （シールド板）
１８                    シールド板の開口部
１９ａ、１９ｂ          第１の保持片
２０ａ、２０ｂ          第２の保持片
２１ａ〜２１ｃ          係合片
２２                    蛍光表示管  （表示装置、表示部材）
２５                    保持部
【図１】
2007017875.tif 000003
【図２】
2007017875.tif 000004
【図３】
2007017875.tif 000005
【図４】
2007017875.tif 000006
【図５】
2007017875.tif 000007
【図６】
2007017875.tif 000008
【図７】
2007017875.tif 000009